(57)【要約】【課題】簡単な構成で動的画像の立体像表示をなし得る立体的２次元画像表示装置を提供する。【解決手段】立体的２次元画像表示装置は、立体像を含む２次元画像を表示する平面状の画像表示面を有する表示部と、画像表示面に平行に離間して配置され、複数のレンズからなりかつ２次元画像の中の立体像よりも広い有効面積を有するマイクロレンズアレイ、及びマイクロレンズアレイの有効領域の周囲を囲むレンズ枠領域からなり、マイクロレンズアレイの表示部とは反対側に位置する空間に２次元画像の実像を表示する結像面を生成する画像伝達パネルと、結像面を収容する空間を少なくとも下方向から仕切る立体枠体と、からなる。【選択図】  図３
2007249214.tif 000002
【特許請求の範囲】
【請求項１】
立体像を含む２次元画像を表示する平面状の画像表示面を有する表示部と、
前記画像表示面に平行に離間して配置され、複数のレンズからなりかつ前記２次元画像の中の立体像よりも広い有効面積を有するマイクロレンズアレイ、及び前記マイクロレンズアレイの有効領域の周囲を囲むレンズ枠領域からなり、前記マイクロレンズアレイの前記表示部とは反対側に位置する空間に前記２次元画像の実像を表示する結像面を生成する画像伝達パネルと、
前記結像面を収容する空間を少なくとも下方向から仕切る立体枠体と、
からなることを特徴とする立体的２次元画像表示装置。
【請求項２】
前記立体枠体は、前記結像面を収容する空間を下方向に加えて、少なくとも上左右前後のいずれか一方向から仕切ることを特徴とする請求項１に記載の立体的２次元画像表示装置。
【請求項３】
少なくとも一つの結像箇所表示部を有することを特徴とする請求項１乃至２のいずれか１項に記載の立体的２次元画像表示装置。
【請求項４】
前記立体像以外は暗い色を呈する２次元画像となるような映像信号を前記表示部に供給する映像信号供給部を有することを特徴とする請求項１乃至３のいずれか１項に記載の立体的２次元画像表示装置。
【請求項５】
立体像を含む２次元画像を表示する平面状の画像表示面を有する表示部と、
前記立体画像表示面に平行に離間して配置され、複数のレンズからなりかつ前記２次元画像の中の立体像よりも広い有効面積を有するマイクロレンズアレイ、及び前記マイクロレンズアレイの有効領域の周囲を囲むレンズ枠領域からなり、前記マイクロレンズアレイの前記表示部とは反対側に位置する空間に前記２次元画像の実像を表示する結像面を生成する画像伝達パネルと、
前記結像面を収容する空間を少なくとも上下左右前後方向のいずれか一方向から仕切る立体枠体と、
少なくとも一つの結像箇所表示部と、
からなることを特徴とする立体的２次元画像表示装置。
【発明の詳細な説明】
【技術分野】
【０００１】
本発明は立体像を含む２次元画像を表示する画像表示装置に関する。
【背景技術】
【０００２】
画像表示装置の１つの使用方法として、表示内容をインテリアとして用いることがある。例えば、陰極線管ディスプレイのフロントフェイスに水を入れた水槽を配置し、熱帯魚などが泳ぐ画像を映し出すことにより仮想アクアリウムを実現するディスプレイが販売されている。
【０００３】
かかる画像表示装置では、ディスプレイ前に水槽が置かれていることにより、単にディスプレイに熱帯魚等が泳ぐ映像を映し出すのに比較すれば、あたかも本物のように水槽に魚が泳いでいるように見える。
【０００４】
しかしながら、ディスプレイにて映し出される映像はあくまでも平面的であり、ディスプレイ上の水中画像に泳いでいるのであって、魚の画像が水槽の水中に魚が泳いでいるように見えない。
【０００５】
魚の画像が水槽の水中に魚が泳いでいるように見せるために、立体画像の再現が考えられる。目視者が偏光メガネをかけて、互いに異なった偏光状態に基づく左右の視差画像を目視する偏光方式があるが、目視者にとって偏光メガネの装着が必要である。
【発明の開示】
【発明が解決しようとする課題】
【０００６】
本発明はこのような問題を解決し、簡単な構成で動的画像の立体像表示をなし得る画像表示装置を提供することを目的とする。
【課題を解決するための手段】
【０００７】
本発明による立体的２次元画像表示装置は、立体像を含む２次元画像を表示する平面状の画像表示面を有する表示部と、
前記画像表示面に平行に離間して配置され、複数のレンズからなりかつ前記２次元画像の中の立体像よりも広い有効面積を有するマイクロレンズアレイ、及び前記マイクロレンズアレイの有効領域の周囲を囲むレンズ枠領域からなり、前記マイクロレンズアレイの前記表示部とは反対側に位置する空間に前記２次元画像の実像を表示する結像面を生成する画像伝達パネルと、
前記結像面を収容する空間を少なくとも下方向から仕切る立体枠体と、
からなることを特徴とする。
【発明を実施するための形態】
【０００８】
以下に、本発明による立体像を含む２次元画像を表示する画像表示装置について実施の形態の一例を図面を用いて説明する。
【０００９】
図１は、立体像を含む２次元画像を表示する画像表示装置の断面図を示す。画像表示装置は、カラー液晶表示装置（ＬＣＤ）１０と、ＬＣＤに固定された支持部材１５に支持された画像伝達パネル２０と、を含む。画像伝達パネル２０はＬＣＤとは反対側に位置する空間に結像面３０生成する。画像表示装置は、さらに結像面３０を収容する水を入れた水槽などの立体枠体９を含む。立体枠体９は水を入れていなくともよく、結像面３０のある空間を仕切るものであればよい。
【００１０】
ＬＣＤ１０は、立体像を含む２次元画像を表示する平面状の画像表示面を有する表示部である。この表示部は、ＬＣＤに限らず、例えば、陰極線管、プラズマディスプレイ、有機エレクトロルミネッセンスディスプレイなどを用いた表示装置が用いられ得る。ＬＣＤ１０の場合、ＬＣＤは画像表示面のフラットなカラー液晶パネル１０ａ、バックライト照明部１０ｂ及びカラー液晶駆動回路１０ｃを備えている。カラー液晶駆動回路１０ｃは立体像を含む２次元画像のための映像信号を供給する映像信号供給部１１に接続されている。
【００１１】
画像伝達パネル２０はマイクロレンズアレイ２２とこれの有効領域を囲むレンズ枠領域２３例えばレンズ枠体からなる。支持部材１５はレンズ枠領域２３を支持し、画像伝達パネル２０はカラー液晶パネル１０ａの画像表示面に平行に離間して位置している。マイクロレンズアレイ２２は画像表示面に書き込まれた立体像を含む２次元画像を目視せしめるための正立等倍光学系であり、２次元画像の中の立体像よりも広い有効面積を有している。本実施例においてマイクロレンズアレイ２２の有効面積は、カラー液晶パネル１０の画像表示面の面積と同一とされている。レンズ枠領域２３は黒色などの暗色を呈し、マイクロレンズアレイの存在を目視者が意識する度合を抑制している。
【００１２】
マイクロレンズアレイ２２は、２次元的に配置した複数の微小レンズから構成されている。図１に示すように、マイクロレンズアレイ２２は、レンズアレイ半体２４を２枚一組でスペーサを介して一体化したマイクロ凸レンズ板である。マイクロ凸レンズ板では、各光軸が同軸に配置された１対の凸レンズからなるレンズ系の複数が、それら光軸が互いに平行となるように、２次元状に配列されている。図２は各凸レンズ２５の光軸２６を含む平面で切断したマイクロレンズアレイ２２の断面図である。同図右側のレンズアレイ半体２４の右側面に形成された凸レンズ２５は、他の凸レンズに対してその曲率が大きくなされており、同図右側のレンズアレイ半体２４の像側焦点（結像面３０）とレンズ面との距離Ｌ２は、同図左側のレンズアレイ半体２４の液晶パネル１０ａとレンズ面との距離Ｌ１より長い。従って、結像面３０は画像伝達パネル２０より十分離間し、且つ画像表示装置の奥行きもコンパクトとすることができる。図２に示すように、凸レンズ２５は夫々同じ材質で同じ形状を有し、例えば透明平板上にマトリクス状に互いに隣接して整列形成されている。凸レンズ２５の光軸２６は、対となって隣接するレンズアレイ半体２４のもの同士間で一致している。凸レンズ２５及び透明平板２７の材質はアクリルであるが、また透明平板にガラスを用いてもよい。
【００１３】
本画像表示装置の動作を説明する。
【００１４】
図３に示すように、黒色など暗い色を呈するステージ１９上に、立体像を含む２次元画像を表示する液晶パネル１０ａの周囲１０ｄを黒色にしたＬＣＤ１０を用意する。ＬＣＤ１０の液晶パネル１０ａの周囲に支持部材１５である支持プレートを鉛直になるように固定して、水平方向の視界を遮るようにする。この支持部材１５も少なくとも液晶パネル１０ａ側内部を黒色にしてある。支持プレートの自由縁部には、その下端に担持部１５ａ、その上部に互いに対向する水平方向に弾性力を付与できるバネ部１５ｂが設けられている。
【００１５】
画像伝達パネル２０のレンズ枠領域２３をバネ部１５ｂ間に挟むように挿入し、画像伝達パネルを担持部１５ａ上に載置して、ＬＣＤ１０の画像表示面に平行に離間して配置する。レンズ枠領域２３が黒色を呈するので、目視側から支持部材１５を隠すことができる。画像伝達パネル２０及びＬＣＤ１０の画像表示面は、予め、画像表示面とマイクロレンズアレイ２２の物体側焦点面とを一致させた相対的な位置関係にする。このようにすれば、ＬＣＤ１０の画像表示面に被写体の像（立体像）が形成されている時、それが像側焦点面に結像され、略光軸方向から立体像の実像の目視が可能になる。なお、この場合、ＬＣＤ１０の画像表示面に形成された立体像から再生像を得るので、画像表示面側が物体側である。
【００１６】
次に、形成された結像面３０を水中に収容するように、水を入れた水槽などの立体枠体９を配置する、
表示すべき立体像を含む２次元画像において、輝度レベルや色レベルによって画像信号を切り分ける公知の画像信号処理方法により、背景などの立体像以外が黒色などの暗い色を呈する２次元画像とすれば、液晶パネル１０ａの周囲１０ｄや、支持部材１５も少なくとも液晶パネル１０ａ側内部が黒色などの暗い色を呈するので、目視者からは表示すべき立体像（実像）だけが前方の水槽中に、あたかも３次元画像であるかのように浮き出た像として認識できる。また、立体像の映像対象としは、静的な物体より、動いている動物、魚のような動的な物体であることが好ましい。
【００１７】
さらに、立体像の実像Ｐが生成された結像面３０の近傍すなわちその前後に、実際の物体３１すなわち、結像個所表示部を光路を妨げないように配置することにより、目視者からは視差画像情報がない立体的２次元画像が、より立体的に認識されるようになる。
【００１８】
上記実施例では、ＬＣＤ１０の液晶パネル１０ａの周囲に支持部材１５介して画像伝達パネル２０を着脱自在に固定する例を説明したが、他の実施例としては、図４及び図５に示すように、この支持部材１５を拡張して、画像伝達パネル２０側、少なくとも光路側を黒色など暗い色として、光路を囲む一体型の筐体４０とすることもできる。液晶パネル１０ａの表示面幅とマイクロレンズアレイ２２の有効幅を揃えること、すなわち、両者の有効面積を略同一とすることがこのましい。そのために、一体型の筐体４０内部に画像伝達パネル２０及び液晶パネル１０ａの厚さに対応したスリット部４１をそれぞれ設け、両者をそれぞれ嵌合させ所定距離はなして固定する。これにより、マイクロレンズアレイ２２の周囲のレンズ枠領域２３を黒色にする必要はなくなり、代わりに筐体４０の前面４０ａを暗い色とする。更に、一体型の筐体４０内部に液晶パネル１０ａ背面側には、駆動回路などの部品を収納する回路収納部４３を設けてある。以上の構成でコンパクトな立体画像表示装置が達成できる。
【００１９】
また、上記実施例では、背面側となる水槽の側面に立体的２次元画像表示装置を１つ設けた場合を説明したが、水槽に対し複数の立体的２次元画像表示装置を設けることができる。
【００２０】
さらなる他の実施例としては、図６に示すように、水槽の側面に設けた表示部１０及び画像伝達パネル２０に加え、水槽９の透明な底面側に第２の表示部１００及び第２の画像伝達パネル２００を配置する。表示部１０及び画像伝達パネル２０並びに第２の表示部１００及び第２の画像伝達パネル２００の同一符号は、同一部材を示す。図７に示すように、第２の表示部１００及び第２の画像伝達パネル２００により水槽内空間に生成された第２の２次元画像の実像を表示する第２の結像面３００は、表示部１０及び画像伝達パネル２０により水槽内空間に生成された結像面３０と略直交している。表示部１０及び第２の表示部１００の液晶パネルのカラー液晶駆動回路にそれぞれ接続されている映像信号供給部１１を互いに同期させて、水槽の側面及び上面から見た立体像を含む２次元画像のための映像信号を供給することにより、水槽内に現れている実像が、水槽の前面（図８）から見ても上面（図９）から見ても、あたかも一体的に動くので、目視者からは立体的２次元画像が、より立体的に認識されるようになる。
【００２１】
なお、立体枠体９は水槽に限定されず、側壁のないフレームだけの矩形枠体や、透明側面などを有する筐体でもよく、その内部に箱庭などミニチュアセットを配置して人物、乗り物などの動画を立体的に映したジオラマなどにも用いることができる。
【００２２】
<発明の効果>
以上説明したように、本発明によれば、立体像を含む２次元画像が表示されている画像表示面がマイクロ凸レンズの物体側焦点面と一致するように、マイクロレンズアレイを保持し、マイクロレンズアレイ２２が当該２次元画像の正立像の実像を、スクリーンなどの拡散板を設けずに、結像面にて結像するので、簡単な構成で、水槽内に魚が立体的に泳ぐ姿を映し出すことができ、より本物のアクアリウムに近づくことができる。また、非常に簡単な構成で、立体像を含む２次元画像を立体的に表示することが可能である。
【図面の簡単な説明】
【００２３】
【図１】本発明による立体画像表示装置の概略断面図。
【図２】本発明による立体画像表示装置のマイクロレンズアレイの部分断面図。
【図３】本発明による立体画像表示装置の概略斜視図。
【図４】図５に示す線ＡＡの断面図。
【図５】本発明による他の実施形態の立体画像表示装置の正面図。
【図６】本発明による他の実施例の立体画像表示装置の概略斜視図。
【図７】本発明による他の実施例の立体画像表示装置の概略断面図。
【図８】本発明による他の実施例の立体画像表示装置における水槽の側面図。
【図９】本発明による他の実施例の立体画像表示装置における水槽の上面図。
【符号の説明】
【００２４】
９  水槽（立体枠体）
１０  ＬＣＤ
１０ａ  カラー液晶パネル
１０ｂ  バックライト照明部
１０ｃ  カラー液晶駆動回路
１０ｄ  液晶パネルの周囲
１０ｆ  白黒液晶駆動回路
１０ｇ  マスク信号生成供給部
１１  映像信号供給部
１２  白黒液晶部
１５  支持部材
１５ａ  担持部
１５ｂ  バネ部
１９  ステージ
２０  画像伝達パネル
２２  マイクロレンズアレイ
２３  レンズ枠領域
２４  レンズアレイ半体
２５  凸レンズ
２６  凸レンズの光軸
２２  マイクロレンズアレイ
３１  実際の物体
４０  筐体
４１  スリット部
４３  回路収納部
【図１】
2007249214.tif 000003
【図２】
2007249214.tif 000004
【図３】
2007249214.tif 000005
【図４】
2007249214.tif 000006
【図５】
2007249214.tif 000007
【図６】
2007249214.tif 000008
【図７】
2007249214.tif 000009
【図８】
2007249214.tif 000010
【図９】
2007249214.tif 000011